(57)【要約】【課題】マンホールに関する作業中に周辺の人員の安全性を向上させる。【解決手段】仮設蓋１に、ホース差込部６に一部が進入してホース差込部６を部分的に閉塞する第１の位置と、ホース差込部６から退避してホース１７の差し込みを許容する第２の位置との間で移動可能な取手７を設けたことで、ホース差込部６にホース１７を挿通していない状態でも、第１の位置とした取手７を利用してホース差込部６を部分的に閉塞でき、大きな開口部を持たないようにすることができる。よって、マンホール周辺の作業員や通行人の障害や物の落下の発生が防止可能となる。【選択図】図２
2019203289.tif 000002
【特許請求の範囲】
【請求項１】
マンホールの開口に嵌合可能な円盤状の蓋本体を有し、通気部と、ホース等を差し込み可能なホース差込部とが開口形成された仮設蓋であって、
前記ホース差込部には、前記ホース差込部内に少なくとも一部が侵入して前記ホース差込部を部分的に閉塞する第１の位置と、前記ホース差込部内から退避して前記ホース等の差し込みを許容する第２の位置との間で移動可能な取手が設けられていることを特徴とする仮設蓋。
【請求項２】
前記取手は、前記ホース差込部を跨いで両端が前記蓋本体へ上下移動可能に連結され、下方への押し込み状態が前記第１の位置となり、上方への引き出し状態で前記第２の位置へ回転可能なコ字状の棒体であることを特徴とする請求項１に記載の仮設蓋。
【請求項３】
前記取手は、前記ホース差込部に前記ホース等を差し込んだ状態で、前記第１の位置より上側で前記ホース等に当接する第３の位置をさらに選択可能であることを特徴とする請求項２に記載の仮設蓋。
【請求項４】
前記蓋本体の裏側に、前記ホース差込部を下方から閉塞する突出位置と、前記ホース差込部を開放する退避位置との間で前記裏面に沿ってスライド可能なスライド板が設けられ、前記取手は、前記スライド板の上面に設けられて、前記スライド板の突出位置で前記第１の位置が、前記退避位置で前記第２の位置がそれぞれ選択されることを特徴とする請求項１乃至３の何れかに記載の仮設蓋。
【請求項５】
前記取手は、前記蓋本体の裏側で両端が前記裏面に沿ってスライド可能に支持され、前記第１の位置と前記第２の位置との間で移動可能なコ字上の棒体であることを特徴とする請求項１乃至４の何れかに記載の仮設蓋。
【発明の詳細な説明】
【技術分野】
【０００１】
本発明は、マンホールの開口部に設置する仮設蓋に関する。
【背景技術】
【０００２】
マンホールに関する作業中に用いられるマンホール開口部の仮設蓋としては、特許文献１−３に開示されるように、蓋体の一部に、通気、採光可能なメッシュ状のグレーチングと、汲み上げポンプや送風ファン等に接続されたホースやダクト等を挿通するための挿通部と、を備えたものが知られている。また、特許文献４に開示されるように、グレーチングの代わりに蓋に複数孔を穿設したものや、特許文献５のように、挿通部の形状をスリット状とした発明も開示されている。
また、このような仮設蓋では、取り外しの際に使用する取手部を設けることがあり、特許文献４のように蓋部に形成された孔を利用するものや、特許文献５のように蓋部上部表面に突設させたものも開示されている。あるいは、特許文献１のように収納可能な取手を備えるものも知られている。
【先行技術文献】
【特許文献】
【０００３】
【特許文献１】特許５９５９８６９号公報
【特許文献２】特開２０１５−４２８１６号公報
【特許文献３】特開２００６−１９４０５５号公報
【特許文献４】特開２００３−１０５７８９号公報
【特許文献５】特開２００６−４５９６３号公報
【発明の概要】
【発明が解決しようとする課題】
【０００４】
マンホールの開口部に設置する仮設蓋に、送風ファンや汲み上げポンプ等に接続されたホースやダクト等が挿通される挿通部のような開口部が設けられていると、ホース等が挿通されない状態では、大きな開口部に足を引っかけたり物を落下させたりする可能性がある。
【０００５】
そこで、本発明は、ホース差込部にホース等を挿通していない状態でも、そのホース挿通部を部分的に閉塞でき、大きな開口部を持たないようにして、マンホール周辺の作業員や通行人の障害や物の落下の発生を防ぐことができる仮設蓋を提供することを目的とする。
【課題を解決するための手段】
【０００６】
上記目的を達成するために、請求項１に記載の発明は、通気、採光可能な通気部と、ホースやケーブル等を挿通させるホース差込部と、マンホールの開口に嵌合可能な円盤状の蓋本体を有する仮設蓋であって、ホース差込部には、ホース差込部に少なくとも一部が進入してホース差込部を部分的に閉塞する第１の位置と、ホース差込部内から退避してホース等の差し込みを許容する第２の位置との間で移動可能な取手が設けられていることを特徴とする。
ここで、「ホース等」とは、通水や通気用のホースの他、給電用のケーブルや吊り下げ用のワイヤ等、仮設蓋を使用した状態でマンホール内に引き込まれる長尺部材を指す。
請求項２に記載の発明は、請求項１の構成において、収納式取手は、ホース差込部を跨いで両端が蓋本体へ上下移動可能に連結され、下方への押し込み状態が第１の位置となり、上方への引き出し状態で第２の位置へ回転可能なコ字状の棒体であることを特徴とする。
請求項３に記載の発明は、請求項２の構成において、収納式取手は、ホース差込部にホース等を差し込んだ状態で、第１の位置より上側でホース等に当接する第３の位置をさらに選択可能であることを特徴とする。
請求項４に記載の発明は、請求項１乃至３の何れかの構成において、蓋本体の裏側に、ホース差込部を下方から閉塞する突出位置と、ホース差込部を開放する退避位置との間で蓋本体の裏面に沿ってスライド可能なスライド板が設けられ、スライド板の上面に取手が設けられて、スライド板の突出位置で第１の位置が、退避位置で第２の位置がそれぞれ選択されることを特徴とする。
請求項５に記載の発明は、請求項１乃至４の何れかの構成において、蓋本体の裏側で両端が蓋本体の裏面に沿ってスライド可能に支持され、第１の位置と第２の位置との間で移動可能なコ字状の棒体であることを特徴とする。
【発明の効果】
【０００７】
請求項１に記載の発明によれば、仮設蓋の取手は、ホース差込部内に少なくとも一部が進入してホース差込部を部分的に閉塞する第１の位置と、ホース差込部内から退避してホース等の差し込みを許容する第２の位置との間で移動可能であって、取手が、第１の位置でホース差込部を部分的に閉塞することで、大きな開口部を持たないように機能するため、マンホール周辺の作業員や通行人の障害や物の落下の発生を防ぐことができる。
請求項２に記載の発明によれば、請求項１の効果に加え、取手が把持しやすい上、第１の位置と第２の位置との間の移動が容易となる。
請求項３に記載の発明によれば、請求項２の効果に加え、ホース差込部にホース等を挿通した際、取手を第３の位置に移動させれば、上方からホース等を押さえる形となるため、ホース差込部に挿通されたホース等の蓋本体上への突出量が抑えられ、ホース等を挿通させた状態でも障害になりにくい。
請求項４に記載の発明によれば、請求項１乃至３の何れかの効果に加え、ホース差込部非使用時において、スライド板がホース差込部を閉塞し、物の落下や足を引っかける等の障害を解消できる。
請求項５に記載の発明によれば、請求項１乃至４の何れかの効果に加え、ホース差込部非使用時には、蓋体上方へ取手が突出しないため、物の落下や足を引っかける等のおそれを低減できる。
【図面の簡単な説明】
【０００８】
【図１】（Ａ）は仮設蓋の平面図、（Ｂ）は側面図である。
【図２】ホース差込部の説明図で、（Ａ）は非使用時、（Ｂ）は使用時、（Ｃ）はホース挿入時をそれぞれ示す。
【図３】変更例１の仮設蓋の平面図である。
【図４】（Ａ）は変更例２の仮設蓋の平面図、（Ｂ）は側面図である。
【図５】変更例２のホース差込部の説明図で、（Ａ）は非使用時、（Ｂ）は使用時をそれぞれ示す。
【図６】（Ａ）は変更例３の仮設蓋の平面図、（Ｂ）は側面図である。
【図７】変更例３のホース差込部の説明図で、（Ａ）は非使用時、（Ｂ）は使用時をそれぞれ示す。
【発明を実施するための形態】
【０００９】
以下、本発明の実施の形態を図面に基づいて説明する。
図１は、マンホールの仮設蓋の例を示す説明図である。この仮設蓋１は、平面視が円盤状で、マンホールに仮設蓋１を嵌合する際に、仮設蓋１を支持するフランジ２を有する蓋本体１ａを備えている。フランジ２の内周部には、一定の間隔で同方向へ配列して設けられたベアリングバー３と、ベアリングバー３と格子を成すように一定の間隔で同方向に配列されたクロスバー４からなる通気部５が形成されている。
仮設蓋１には、ホース等(図示せず）を挿通するためのホース差込部６が、外周縁から半径方向に、先端に半円部を伴って切込形成され、ホース差込部６を跨ぐようにコ字状の棒体からなる収納式の取手７が備えられている。さらに、ホース差込部６と対向する位置に、もう一つのコ字状の棒体からなる収納式の取手８が、いずれも通気部５内に備えられている。ホース差込部６の両側には凹型の取手収納部９及び取手挿通孔１０が設けられ、取手７の両端が挿入、収納されている。また、取手８は、両端が取手挿通孔１１に挿通され、凹型の取手収納部１２に収納されている。
【００１０】
図２は、ホース差込部６の使用時及び非使用時における取手７の説明図である。取手７は、側面視がＬ字状に形成されている。取手７及び８は、使用時には通気部５より上方へ引き出され、取手７の短手部７ａ及びストッパー１３、取手８は下端のストッパー１６が通気部５の裏面に係止することで、仮設蓋１を持ち上げて移動させることができる。
一方、取手７及び８を使用しない際は、それぞれ自重により取手収納部９及び１２に収納される。この時、それぞれの取手収納部９及び１２が、取手７及び８が通気部５から突出しない深さで形成されているため、取手７及び８が仮設蓋１の上方へ突出することがない。そのため、マンホール周辺の作業員や通行人が、取手７および８に足を引っかけて転倒することがない。
【００１１】
ホース差込部６を使用しない際、図２（Ａ）に示すように、取手収納部９に収納された取手７は、ホース差込部６を横切るため、ホース差込部６の開口部Ｈの開口面積を小さく保つことができ、マンホール周辺の作業員や通行人が、開口部Ｈから物を落下させたり、足を引っかけて転倒することを回避できる。
一方、ホース差込部６の使用時は、取手７を仮設蓋１の上方へ引き上げた後、半径方向へ倒すことで、図２（Ｂ）に示すように、開口部Ｈから退避する第２の位置へ移動させることができるため、ホース等の挿通を妨げることがない。この時、取手７は短手部７ａの先端にストッパー１３が備えられているため、取手挿通孔１０から抜けてしまうことはない。さらに、図２（Ｃ）に示すように、ホース１７の挿通後、取手７を外周方向へ起こし、取手７がホース１７に当接するまで仮設蓋１の下方へ押し込むことで、ホース１７が押さえられ、マンホール内へ挿通させたホース１７の蓋本体１ａ上への突出量が抑えられ、ホース等を挿通させた状態でも障害になりにくい。
【００１２】
このように、上記形態の仮設蓋１によれば、ホース差込部６に、ホース差込部６に一部が進入してホース差込部６を部分的に閉塞する第１の位置と、ホース差込部６から退避してホース１７の差し込みを許容する第２の位置との間で移動可能な取手７を設けたことで、ホース差込部６にホース１７を挿通していない状態でも、第１の位置とした取手７を利用してホース差込部６を部分的に閉塞でき、大きな開口部を持たないようにすることができる。よって、マンホール周辺の作業員や通行人の障害や物の落下の発生が防止可能となる。
特にここでは、取手７は、ホース差込部６を跨いで両端が蓋本体１ａへ上下移動可能に連結され、下方への押し込み状態が第１の位置となり、上方への引き出し状態で第２の位置へ回転可能なコ字状の棒体としているので、取手７が把持しやすい上、第１の位置と第２の位置との間の移動が容易に行える。
また、取手７は、ホース差込部６にホース１７を差し込んだ状態で、第１の位置より上側でホース１７に当接する第３の位置を更に選択可能であるため、ホース差込部に挿通されたホース１７の蓋本体１ａ上への突出量が抑えられ、ホース１７を挿通させた状態でも障害になりにくくなる。
【００１３】
図３は、本発明の実施の形態の変形例１を示す説明図である。但し、図１，２と同じ構成部には同じ符号を付して重複する説明は省略する。
この仮設蓋２１の蓋本体２１ａには、ホース等(図示せず）を挿通するためのホース差込部６がそれぞれ対向する位置に２つ、外周縁から半径方向に先端に半円部を伴って切込形成され、ホース差込部６を跨ぐように収納式取手７が、通気部５内に設けられている。ホース差込部６の両側には凹型の取手収納部９及び取手挿通孔１０が設けられ、取手７が挿入、収納されている。本変形例１では、ホース差込部を２つ設けたことで、上述の効果に加え、マンホール内へ挿通するホース等を増設可能となり、作業の幅を拡大することができる。
【００１４】
図４は、本発明の実施の形態の変形例２を示す説明図である。但し、図１，２と同じ構成部には同じ符号を付して重複する説明は省略する。
この仮設蓋３１の蓋本体３１ａには、ホース等(図示せず）を挿通するためのホース差込部３６が平面視長方形状に形成され、ホース差込部３６を下方から塞ぐようにスライド型収納式取手３７が、さらに、ホース差込部３６と対向する位置に収納式取手８が、いずれも通気部５内に備えられている。スライド型収納式取手３７は、取手部３７ａ、スライド板３７ｂ及びスライド板３７ｂの両端で上側に折り返し形成された倒Ｕ字状の爪部３７ｃから構成され、スライド板３７ｂは、通気部５の下方側に備えられた一対のレール３５ａ，３５ａを爪部３７ｃが把持することで仮設蓋３１の半径方向へ摺動可能に、装着されている。さらに、ホース差込部３６と対向する位置に、コ字状の取手８が、取手挿通孔１１に挿通され、凹型の取手収納部１２に収納されている。
【００１５】
図５は、ホース差込部３６の使用時及び非使用時におけるスライド型収納式取手３７の説明図である。ホース差込部３６を使用しない際は、図５（Ａ）に示すように、スライド型収納式取手３７を爪部３７ｃがフランジ２と当接する第１の位置（突出位置）まで引き出す。この時、スライド板３７ｂがホース差込部３６の開口部Ｈを塞ぐことができるため、マンホール周辺の作業員や通行人が、開口部Ｈから物を落下させたり、足を引っかけて転倒することがない。
一方、ホース差込部３６の使用時は、図５（Ｂ）に示すように、スライド型収納式取手３７を仮設蓋３１の半径方向へ、取手部３７ａが通気部５との接触面３５ｂと当接する第２の位置（退避位置）までスライドさせることで、開口部Ｈから退避させることができるため、ホース等の挿通を妨げることがない。
【００１６】
スライド型収納式取手３７が開口部Ｈを塞いだ状態で、取手８を通気部５より上方へ引き出し、スライド型収納式取手３７及びストッパー１６により通気部５の裏面に係止させることで、仮設蓋１を持ち上げて移動させることができる。
一方、スライド型収納式取手３７及び取手８を使用しない際は、取手部３７ａ及び取手８の収納部１２は、取手部３７ａ及び取手８が通気部３５から突出しないように形成されているため、取手部３７ａ及び取手８が仮設蓋３１の上方へ突出することがない。そのため、マンホール周辺の作業員や通行人が、取手部３７ａおよび収納式取手８に足を引っかけて転倒することがない。
【００１７】
このように、上記形態の仮設蓋３１によれば、蓋本体３１ａの裏側に、ホース差込部３６を下方から閉塞する突出位置と、ホース差込部３６を開放する退避位置との間で蓋本体３１ａの裏面に沿ってスライド可能なスライド型収納式取手３７が設けられたことで、スライド板３７ｂの突出位置で、ホース差込部３６を閉塞できるため、開口部を持たないようにすることができる。よって、マンホール周辺の作業員や通行人の障害や物の落下が防止可能となる。
【００１８】
図６は、本発明の実施の形態の変形例３を示す説明図である。但し、図１，２と同じ構成部には同じ符号を付して重複する説明は省略する。
この仮設蓋４１の蓋本体４１ａには、ホース等(図示せず）を挿通するためのホース差込部４６が形成され、ホース差込部４６を跨ぐようにスライド型収納式取手４７が、さらに、ホース差込部４６と対向する位置に収納式取手８が、いずれも通気部５内に備えられている。スライド型収納式取手４７は、取手部４７ａと、挿通部４７ｂ、ストッパー４７ｃから構成される平面視コ字状の棒体で、挿通部４７ｂは、通気部５の下方側であってホース差込部４６の両側に設けられた筒状の取手挿通部４０に挿通されることで、仮設蓋４１の半径方向へ摺動可能に、通気部５に装着されている。さらに、外周方向へ引き出した際には、ストッパー４７ｃが取手挿通部４０の内側端部４０ａに引っかかり、抜け落ちることはない。また、取手８は、取手挿通孔１１に挿通され、凹型の取手収納部１２に収納されている。
【００１９】
図７は、ホース差込部４６の使用時及び非使用時におけるスライド型収納式取手４７の説明図である。ホース差込部４６を使用しない際は、図７（Ａ）に示すように、スライド型収納式取手４７をストッパー４７ｃが取手挿通部４０の内側端部４０ａと当接する第１の位置まで引き出す。この時、取手部４７ａがホース差込部４６の開口部Ｈを横切るため、ホース差込部４６の開口部Ｈの開口面積を小さく保つことができ、マンホール周辺の作業員や通行人が、開口部Ｈから物を落下させたり、足を引っかけて転倒することがない。
一方、ホース差込部４６の使用時は、図７（Ｂ）に示すように、スライド型収納式取手４７を仮設蓋４１の半径方向へ、取手部４７ａが取手挿通部４０の外側端部４０ｂと当接する位置までスライドさせることで、開口部Ｈから退避させることができるため、ホース等の挿通を妨げることがない。
【００２０】
スライド型収納式取手４７がホース差込部４６を横切った状態で、取手８を通気部５より上方へ引き出し、スライド型収納式取手４７及びストッパー１６により通気部５の裏面に係止させることで、仮設蓋４１を持ち上げて移動させることができる。
一方、スライド型収納式取手４７及び取手８を使用しない際は、スライド型収納式取手４７が通気部５の下方側に設けられると共に、取手８の収納部１２は、取手８が通気部５から突出しないように形成されているため、スライド型収納式取手４７及び取手８が仮設蓋４１から突出することがない。そのため、マンホール周辺の作業員や通行人が、スライド型収納式取手４７および収納式取手８に足を引っかけて転倒することがない。
【００２１】
このように、上記形態の仮設蓋４１によれば、ホース差込部４６にホース差込部４６に一部が進入してホース差込部４６を部分的に閉塞する第１の位置と、ホース差込部４６から退避して、ホース等の差し込みを許容する第２の位置との間で移動可能なスライド型収納式取手４７を設けたことで、ホース差込部４６にホース等を挿通していない状態でも、第１の位置としたスライド型収納式取手４７を利用してホース差込部４６を部分的に閉塞でき、大きな開口部を持たないようにすることができる。よって、マンホール周辺の作業員や通行人の障害や物の落下が防止可能となる。
【００２２】
以上は、本発明を図示例に基づいて説明したものであり、その技術範囲はこれに限定されるものではない。例えば、ホース差込部の数は、例示した１つあるいは２つに限らず、複数形成することもでき、ホース差込部の形状は、例示したものに限らず、先端が半円状でないものや単に開口形成されたもの等、任意の形状をとることもできる。また、いくつかの違う構成の収納式取手の組み合わせであってもよい。さらに、通気部は、通気、採光可能であれば、複数孔を備えた板状のものであってもよく、またさらに、フランジと通気部は一体のものであってもよい。
【符号の説明】
【００２３】
１・・仮設蓋、１ａ・・蓋本体、２・・フランジ、５・・通気部、６・・ホース差込部、７・・収納式取手、９・・取手収納部、Ｈ・・開口部。
【図１】
2019203289.tif 000003
【図２】
2019203289.tif 000004
【図３】
2019203289.tif 000005
【図４】
2019203289.tif 000006
【図５】
2019203289.tif 000007
【図６】
2019203289.tif 000008
【図７】
2019203289.tif 000009
【手続補正書】
【提出日】令和1年9月24日(2019.9.24)
【手続補正１】
【補正対象書類名】特許請求の範囲
【補正対象項目名】全文
【補正方法】変更
【補正の内容】
【特許請求の範囲】
【請求項１】
マンホールの開口に嵌合可能な円盤状の蓋本体を有し、通気部と、ホース等を差し込み可能なホース差込部とが開口形成された仮設蓋であって、
前記ホース差込部には、前記ホース差込部内に少なくとも一部が侵入して前記ホース差込部を部分的に閉塞する第１の位置と、前記ホース差込部内から退避して前記ホース等の差し込みを許容する第２の位置との間で移動可能な取手が設けられ、
前記取手は、前記ホース差込部を跨いで両端が前記蓋本体へ上下移動可能に連結され、下方への押し込み状態が前記第１の位置となり、上方への引き出し状態で前記第２の位置へ回転可能なコ字状の棒体であることを特徴とする仮設蓋。
【請求項２】
前記取手は、前記ホース差込部に前記ホース等を差し込んだ状態で、前記第１の位置より上側で前記ホース等に当接する第３の位置をさらに選択可能であることを特徴とする請求項１に記載の仮設蓋。
【請求項３】
マンホールの開口に嵌合可能な円盤状の蓋本体を有し、通気部と、ホース等を差し込み可能なホース差込部とが開口形成された仮設蓋であって、
前記ホース差込部には、前記ホース差込部内に少なくとも一部が侵入して前記ホース差込部を部分的に閉塞する第１の位置と、前記ホース差込部内から退避して前記ホース等の差し込みを許容する第２の位置との間で移動可能な取手が設けられ、
前記蓋本体の裏側に、前記ホース差込部を下方から閉塞する突出位置と、前記ホース差込部を開放する退避位置との間で前記裏面に沿ってスライド可能なスライド板が設けられ、前記取手は、前記スライド板の上面に設けられて、前記スライド板の突出位置で前記第１の位置が、前記退避位置で前記第２の位置がそれぞれ選択されることを特徴とする仮設蓋。
【請求項４】
マンホールの開口に嵌合可能な円盤状の蓋本体を有し、通気部と、ホース等を差し込み可能なホース差込部とが開口形成された仮設蓋であって、
前記ホース差込部には、前記ホース差込部内に少なくとも一部が侵入して前記ホース差込部を部分的に閉塞する第１の位置と、前記ホース差込部内から退避して前記ホース等の差し込みを許容する第２の位置との間で移動可能な取手が設けられ、
前記取手は、前記蓋本体の裏側で両端が前記裏面に沿ってスライド可能に支持され、前記第１の位置と前記第２の位置との間で移動可能なコ字状の棒体であることを特徴とする仮設蓋。
【手続補正２】
【補正対象書類名】明細書
【補正対象項目名】０００６
【補正方法】変更
【補正の内容】
【０００６】
上記目的を達成するために、請求項１に記載の発明は、通気、採光可能な通気部と、ホースやケーブル等を挿通させるホース差込部と、マンホールの開口に嵌合可能な円盤状の蓋本体を有する仮設蓋であって、ホース差込部には、ホース差込部に少なくとも一部が進入してホース差込部を部分的に閉塞する第１の位置と、ホース差込部内から退避してホース等の差し込みを許容する第２の位置との間で移動可能な取手が設けられ、取手は、ホース差込部を跨いで両端が蓋本体へ上下移動可能に連結され、下方への押し込み状態が第１の位置となり、上方への引き出し状態で第２の位置へ回転可能なコ字状の棒体であることを特徴とする。
ここで、「ホース等」とは、通水や通気用のホースの他、給電用のケーブルや吊り下げ用のワイヤ等、仮設蓋を使用した状態でマンホール内に引き込まれる長尺部材を指す。
請求項２に記載の発明は、請求項１の構成において、取手は、ホース差込部にホース等を差し込んだ状態で、第１の位置より上側でホース等に当接する第３の位置をさらに選択可能であることを特徴とする。
請求項３に記載の発明は、通気、採光可能な通気部と、ホースやケーブル等を挿通させるホース差込部と、マンホールの開口に嵌合可能な円盤状の蓋本体を有する仮設蓋であって、ホース差込部には、ホース差込部に少なくとも一部が進入してホース差込部を部分的に閉塞する第１の位置と、ホース差込部内から退避してホース等の差し込みを許容する第２の位置との間で移動可能な取手が設けられ、蓋本体の裏側に、ホース差込部を下方から閉塞する突出位置と、ホース差込部を開放する退避位置との間で蓋本体の裏面に沿ってスライド可能なスライド板が設けられ、スライド板の上面に取手が設けられて、スライド板の突出位置で第１の位置が、退避位置で第２の位置がそれぞれ選択されることを特徴とする。
請求項４に記載の発明は、通気、採光可能な通気部と、ホースやケーブル等を挿通させるホース差込部と、マンホールの開口に嵌合可能な円盤状の蓋本体を有する仮設蓋であって、ホース差込部には、ホース差込部に少なくとも一部が進入してホース差込部を部分的に閉塞する第１の位置と、ホース差込部内から退避してホース等の差し込みを許容する第２の位置との間で移動可能な取手が設けられ、取手は、蓋本体の裏側で両端が蓋本体の裏面に沿ってスライド可能に支持され、第１の位置と第２の位置との間で移動可能なコ字状の棒体であることを特徴とする。
【手続補正３】
【補正対象書類名】明細書
【補正対象項目名】０００７
【補正方法】変更
【補正の内容】
【０００７】
請求項１に記載の発明によれば、仮設蓋の取手は、ホース差込部内に少なくとも一部が進入してホース差込部を部分的に閉塞する第１の位置と、ホース差込部内から退避してホース等の差し込みを許容する第２の位置との間で移動可能であって、取手が、第１の位置でホース差込部を部分的に閉塞することで、大きな開口部を持たないように機能するため、マンホール周辺の作業員や通行人の障害や物の落下の発生を防ぐことができる。また、取手が把持しやすい上、第１の位置と第２の位置との間の移動が容易となる。
請求項２に記載の発明によれば、請求項１の効果に加え、ホース差込部にホース等を挿通した際、取手を第３の位置に移動させれば、上方からホース等を押さえる形となるため、ホース差込部に挿通されたホース等の蓋本体上への突出量が抑えられ、ホース等を挿通させた状態でも障害になりにくい。
請求項３に記載の発明によれば、ホース差込部非使用時において、スライド板がホース差込部を閉塞し、物の落下や足を引っかける等の障害を解消できる。
請求項４に記載の発明によれば、ホース差込部非使用時には、蓋体上方へ取手が突出しないため、物の落下や足を引っかける等のおそれを低減できる。